(57)【特許請求の範囲】
【請求項１】
空気の吸込口及び冷風の吹出口を設けたケーシング内に、車両空調用の冷凍サイクルに連結された蓄冷用冷却コイルと、該蓄冷用冷却コイルにより冷却する蓄冷材を密封した蓄冷パックと、空気の吸い込み及び吹き出しを行うファンとを具備し、前記吸込口を下部中央に配置するとともに前記吹出口を上部の左右両端近傍に配置した蓄冷式冷房ユニットにおいて、
前記蓄冷用冷却コイル及び前記蓄冷パックを収納する内部ケースを設け、前記蓄冷パックの表面に溝部を形成し、
前記蓄冷パックは前記蓄冷用冷却コイルの扁平押出チューブを両側から挟持するように配置され、前記溝部を流れる風量が前記蓄冷パックの表面に沿って形成された空気流路を流れる風量より少なくなるように、前記溝部と前記空気流路との流路形状比を設定したことを特徴とする蓄冷式冷房ユニット。
【請求項２】
前記内部ケースを左右に分割し、前記内部ケースの内面と前記蓄冷パックの表面との間に形成されて前記吸込口から前記吹出口に至る空気流路が、流れ方向を交互に逆転させるジグザグ形状に形成されていることを特徴とする請求項１に記載の蓄冷式冷房ユニット。
【請求項３】
前記溝部を蛇行させたことを特徴とする請求項１または２に記載の蓄冷式冷房ユニット。
【請求項４】
前記ファンと前記内部ケースとの接続部に勘合部を遮風するシール部材を設けた導風板を取り付けたことを特徴とする請求項１から３のいずれかに記載の蓄冷式冷房ユニット。
【請求項５】
前記蓄冷パックの下方に配置されるドレンパンが、前記吸込口から左右の両端部側へ向けて高くなるよう傾斜して設けられていることを特徴とする請求項１から４のいずれかに記載の蓄冷式冷房ユニット。
【発明の詳細な説明】
【技術分野】
【０００１】
本発明は、車両用の蓄冷装置付き空気調和装置に適用される蓄冷式冷房ユニットに関する。
【背景技術】
【０００２】
従来より、たとえばトラックのキャビン用空調装置として、蓄冷装置付きの冷凍サイクル（冷媒回路）を備えた蓄冷装置付き空調装置が知られている。この空調装置では、たとえば運転手が仮眠する場合などエンジンを停止した状態でキャビン内の冷房が可能となるように、車両走行中に冷熱を蓄熱しておく蓄冷用冷却コイルを備えている。
蓄冷用冷却コイルは、冷凍サイクル中において、エンジンが駆動される車両走行中等にキャビン内の空調に使用される空調用エバポレータと並列に設置され、エンジンで駆動されるコンプレッサから交互に冷媒の供給を受けて蓄冷するものである。
【０００３】
上述した蓄冷用冷却コイルは、たとえばキャビン後方の窓枠に取り付けられた蓄冷式冷房ユニット内に設置される。蓄冷式冷房ユニットは、吸込口及び吹出口を設けたケーシング内に、冷凍サイクルに連結された蓄冷用冷却コイルと、この蓄冷用冷却コイルにより冷却されて凍結する水等の蓄冷材を密封した蓄冷パックと、キャビン内の空気をケーシング内に吸い込んで冷風を吹き出すためのファンとを具備して構成される。すなわち、蓄冷式冷房ユニットは、ファンの動作により吸込口からキャビン内の空気を吸い込み、この空気を蓄冷パックの冷熱により冷却した冷風として吹出口からキャビン内に吹き出し、エンジン停止状態でもキャビン内の冷房を可能にしたものである。
【０００４】
このような蓄冷式冷房ユニットにおいては、ユニット自体の大きさを抑制して冷房能力や冷房時間を確保するため、蓄冷パックに蓄熱した冷熱を効率よく有効に利用することが必要となる。このため、水平方向（前後方向）の一方から吸い込んだ空気を冷却して他方から吹き出すケース内の空気流路を、蒸発器と蓄冷パックを収納しているケースとの間に仕切部材を設けることにより上下方向に蛇行して流れるように形成し、空気と蓄冷パックとの接触面積を増すことが提案されている。（たとえば、特許文献１参照）
【特許文献１】特開２００２−３３７５４１号公報（図３参照）
【発明の開示】
【発明が解決しようとする課題】
【０００５】
ところで、近年の蓄冷式冷房ユニットにおいては、たとえばアイドリングストップの推進といった背景から、比較的熱負荷が少ない従来の夜間使用だけでなく、熱負荷の大きい昼間の使用に配慮することも重要になっている。このため、夜間使用と比較して熱負荷が大幅に増大する昼間使用時にも十分な冷房性能を確保するため、たとえば夜間使用では全く問題にならなかったファン吸込口等からの侵入熱が問題となる。このような侵入熱は、せっかく冷却した冷風の吹出温度を上昇させる原因となるため好ましくない。
また、上述した蓄冷式冷房ユニットにおいて、ケーシングの下部中央に吸込口を設けて上部の左右両端部付近に設けた吹出口から冷風を吹き出す構成の場合、蓄冷パック全体と略均等に熱交換させて左右の吹出口から冷風を吹き出すことは困難である。具体的に説明すると、ケーシングの下部中央から吸入された空気の主流は、上部の左右両端にある吹出口へ向けて斜めに略直線的な流れを形成する。従って、たとえば蓄冷パックの下部両端付近や上部中央付近は熱交換する空気の流れが少なくなり、同部分の蓄冷材が保有する冷熱を十分に利用した蓄熱冷房運転を実施できないという問題が生じてくる。
【０００６】
本発明は、上記の事情に鑑みてなされたものであり、その目的とするところは、ケーシングの下部中央に吸込口を設けて上部の左右両端部付近に設けた吹出口から冷風を吹き出すように構成された蓄冷式冷房ユニットにおいて、熱侵入により生じる問題を解決するとともに、蓄冷パック全体の冷熱を略均等に有効利用した蓄熱冷房運転の実施を可能にすることにある。
【課題を解決するための手段】
【０００７】
本発明は、上記の課題を解決するため、下記の手段を採用した。
本発明に係る蓄冷式冷房ユニットは、空気の吸込口及び冷風の吹出口を設けたケーシング内に、車両空調用の冷凍サイクルに連結された蓄冷用冷却コイルと、該蓄冷用冷却コイルにより冷却する蓄冷材を密封した蓄冷パックと、空気の吸い込み及び吹き出しを行うファンとを具備し、前記吸込口を下部中央に配置するとともに前記吹出口を上部の左右両端近傍に配置した蓄冷式冷房ユニットにおいて、前記蓄冷用冷却コイル及び前記蓄冷パックを収納する内部ケースを設け、前記蓄冷パックの表面に溝部を形成し、前記蓄冷パックは前記蓄冷用冷却コイルの扁平押出チューブを両側から挟持するように配置され、前記溝部を流れる風量が前記蓄冷パックの表面に沿って形成された空気流路を流れる風量より少なくなるように、前記溝部と前記空気流路との流路形状比を設定したことを特徴とするものである。
【０００８】
このような蓄冷式冷房ユニットによれば、蓄冷用冷却コイル及び蓄冷パックを収納する内部ケースを設けたので、この内部ケースを断熱性能の高い素材等で製作して断熱強化すれば侵入熱を防ぐことができる。また、蓄冷パックの表面に溝部を形成することにより、蓄冷パックの伝熱面積を増大させて冷却能力を向上させることができる。この場合、前記溝部を蛇行させることにより、蓄冷パックの伝熱面積はより一層増大する。さらに、蓄冷用冷却コイルの扁平押出チューブを両側から挟持するように蓄冷パックを配置し、熱交換効率の高い溝部を流れる風量を少なくしたため、均一放冷が可能となり、交換熱量を最大限に利用することができる。
【０００９】
上記の蓄冷式冷房ユニットにおいて、前記内部ケースを左右に分割し、前記内部ケースの内面と前記蓄冷パックの表面との間に形成されて前記吸込口から前記吹出口に至る空気流路が、流れ方向を交互に逆転させるジグザグ形状に形成されていることが好ましく、これにより、下部中央の吸入口から右上の吹出口に至るジグザグ形状の空気流路と、下部中央の吸入口から左上の吹出口に至るジグザグ形状の空気流路とが別々に形成されるので、吸入口から吸い込まれた空気は蓄冷パックの表面全体を略均一に通過して吹出口から吹き出される。
なお、この場合のジグザグ形状は、上下方向または左右方向のいずれでもよい。
【００１２】
上記の蓄冷式冷房ユニットにおいて、前記ファンと前記内部ケースとの接続部に導風板を取り付けることが好ましく、これにより、ファン吸込口周辺からの侵入熱を防止することができる。
【００１３】
上記の蓄冷式冷房ユニットにおいて、前記蓄冷パックの下方に配置されるドレンパンは、前記吸込口から左右の両端部側へ向けて高くなるよう傾斜して設けられていることが好ましく、これにより、溝部を流れる風量分布を均一とし、溝部の均一放冷により交換熱量を最大限に利用することができる。
【発明の効果】
【００１４】
上述した本発明の蓄冷式冷房ユニットによれば、蓄冷用冷却コイル及び蓄冷パックを収納する内部ケースを断熱性能の高い素材等で製作して断熱強化すれば、冷風の吹出温度が上昇するのを防止し、かつ、蓄冷パックに蓄冷した冷熱が侵入熱により消費されるのを防止できるので、空調フィーリングや吹出温度等の空調性能を向上させるとともに、空調可能時間を延長できるという顕著な効果が得られる。
【００１５】
また、下部中央の吸入口から右上の吹出口に至るジグザグ形状の空気流路と、下部中央の吸入口から左上の吹出口に至るジグザグ形状の空気流路とが別々に形成されるので、吸入口から吸い込まれた空気は蓄冷パックの表面全体を略均一に通過して左右の吹出口から吹き出されるようになる。従って、蓄冷パック全体から略均等に放冷させることができ、蓄冷パック全体の冷熱を略均等に有効利用することで冷却能力が高く、しかも冷却時間も長い蓄熱冷房運転の実施が可能となる。
また、蓄冷パックの表面に形成した溝部、流路形状比の最適化、ドレンパンの傾斜設置及びシール部材の取り付けによっても、空調性能の向上や空調可能時間の延長が可能になる。
【発明を実施するための最良の形態】
【００１６】
以下、本発明に係る蓄冷式冷房ユニットの一実施形態を図面に基づいて説明する。
図９に示す冷媒回路図は、主として車両用空調装置に適用されるものであり、たとえばトラック等の車両に装備される蓄冷装置付き空調装置に採用されている。図９において、１はコンプレッサ、２はコンデンサ、３はレシーバ、４は空調用エバポレータ、５は感温筒６を備えた温度式の膨張弁（以下、「空調用膨張弁」ともいう）、７は空調電磁弁、８は蓄冷用冷却コイル、９は感温筒１０を備えた温度式の膨張弁（以下、「蓄冷用膨張弁」ともいう）、１１は蓄冷電磁弁、１２は逆止弁、１３は空調用エバポレータの温度を検知し作動するフロストサーモ、１４は装置全体の制御装置である。
【００１７】
上記の各要素から構成される蓄冷装置付き空調装置において、冷媒回路中に並列に配置された空調用エバポレータ４及び蓄冷用冷却コイル８には、各々の冷媒配管上流側に空調電磁弁７及び畜冷電磁弁１１が設けられている。制御装置１４は、空調電磁弁７または蓄冷電磁弁１１に対して交互に通電することで開閉制御し、空調用エバポレータ４と蓄冷用冷却コイル８とに冷媒を交互に流す。この場合、空調用エバポレータ４の運転時間及び蓄冷用冷却コイル８の運転時間は、たとえば所定の時間比となるように設定され、この時間比に基づいて制御装置１４が空調電磁弁７及び蓄冷電磁弁１１の開閉を制御する。
なお、上述した運転時間の一例をあげると、たとえば空調用エバポレータ４に冷媒を流す空調運転時間を４５秒とし、蓄冷用冷却コイル８に冷媒を流す蓄冷運転時間を２０秒とする。
【００１８】
図３から図６に示すように、蓄冷用冷却コイル８を備えた蓄冷式冷房ユニット２０は、たとえばトラックのキャビン内に設置されて運転席後方に設けられている仮眠室の冷房に使用される。図示の例では、キャビン後方の壁面に設けられる窓ガラスに代えて、蓄冷式冷房ユニット２０が上下（縦）方向に立設して取り付けられている。
蓄冷式冷房ユニット２０は、空気の吸込口２１及び冷風の吹出口２２を設けたケーシング２３内に、蓄冷ユニット３０及びファン４０を内蔵している。蓄冷ユニット３０は、上述した車両空調用の冷凍サイクル（冷媒回路）に連結されている蓄冷用冷却コイル８と、該蓄冷用冷却コイル８により冷却する水等の蓄冷材をパックケース内に密封した蓄冷パック３１とを具備し、これら蓄冷用冷却コイル８及び蓄冷パック３１を収納する内部ケース３５を設けた構成とされる。この蓄冷ユニット３０は、蓄冷用冷却コイル８を構成する扁平押出チューブ８ａの両面を、蓄冷パック３１で両側から挟持した構成とされる。なお、蓄冷用冷却コイル８は、たとえば図１に示すように、左右一対のヘッダー８ｂ，８ｂ間を複数（図示の例では３本）の扁平押出チューブ８ａにより連結した構成とされ、各扁平押出チューブ８ａには図示しない多数の冷媒流路が設けられている。
【００１９】
ファン４０は、キャビン内からケーシング２３内に冷却する空気を吸い込むとともに、ケーシング２３内を通過する際に蓄冷パック３１と熱交換して冷却された冷風をキャビン内に吹き出す機能を有している。
ケーシング２３は、キャビン内に前方を向いて露出するフロントパネル２３Ｆと、キャビン後部壁面を形成するパネル材１５の窓ガラス用開口部１６に取り付けられたリアパネル２３Ｒとに分割される。
【００２０】
リアパネル２３Ｒは、窓ガラスの代わりに周囲をウインドダム１７に挟持された状態でキャビン後部壁面に固定支持される。このリアパネル２３Ｒには、上述した蓄冷ユニット３０が固定支持され、さらに、蓄冷ユニット３０の前面を覆うようにしてフロントパネル２３Ｆが取り付けられる。フロントパネル２３Ｆは、蓄冷ユニット３０を貫通するボルト等を用いてリアパネル２３Ｒに対し着脱可能に固定され、この固定状態において、フロントパネル２３Ｆとリアパネル２３Ｒとの間には、前後方向の隙間２４がユニットの全周にわたって設けられている。
すなわち、蓄冷式冷房ユニット２０は、吸込口２１及び吹出口２２を設けたケーシング２３内に、冷媒回路から冷媒の供給を受ける蓄冷用冷却コイル８及び蓄冷用冷却コイル８に供給された冷媒が吸熱して冷却する蓄冷パック３１を内部ケース３５に収納してなる蓄冷ユニット３０と、空気の流れを形成するファン４０とを具備した構成とされる。
【００２１】
フロントパネル２３Ｆの前面には、樹脂等のパネル材を裏面まで貫通する吸込口２１を下部中央に配設するとともに、同様にパネル材を裏面まで貫通する左右一対の吹出口２２，２２を上部の左右両端近傍に配設してある。なお、左右一対の吹出口２２，２２は、下部中央の吸込口２１を基準にして左右対称の配置とされる。
また、吹出口２２，２２の上部には、それぞれにファン４０が設置されており、キャビン内の空気を吸込口２１から吸引し、後述する空気流路や溝部を通って冷却された冷風が吹出口２２，２２からキャビン内へ吹き出すようになっている。なお、ファン４０は、フロントパネル２３Ｆの裏面上部に固定されている。
【００２２】
内部ケース３５は樹脂等の成形部品であり、特に、断熱性能の高い素材を採用して断熱強化することが好ましい。
この内部ケース３５は、扁平押出チューブ８ａを挟持する蓄冷パック３１の前後両表面との間に空気流路となる隙間３２を形成するとともに、吸入口２１に連通する吸込開口３３を下部に形成し、左右の吹出口２２にそれぞれ連通するように吹出開口３４を上部に形成した構成とされる。この内部ケース３５は、内部に収納した蓄冷用冷却コイル８及び蓄冷パック３１とともに一体化した蓄冷ユニット３０として、リアパネル２３Ｒに対し図示省略のボルト等により固定支持される。
このような内部ケース３５を設けたことにより、蓄冷ユニット３０の断熱性能が増して侵入熱を防ぐため、蓄冷パック３１や蓄冷用冷却コイル８が外部からの侵入熱の影響を受けにくくなる。
【００２３】
また、内部ケース３５は、蓄冷用冷却コイル８及び蓄冷パック３１の下方に落下する結露水（ドレン水）を集めて排水するため、蓄冷パック３１の下方にドレンパン３６を備えている。このドレンパン３６は、吸込口２１のある中央部が低く設定され、この中央部から両端部側へ向けて高くなるように傾斜している。この結果、ドレンパン３６は、中央の吸込口２１側から左右の両端部側へ向けて徐々に高くなるよう傾斜するので、吸込開口３３に連通しドレンパン３６と蓄冷パック３１の下端部との間に形成される間隙部は、吸込口２１側から両端部へ向けてその流路断面積が徐々に狭められる。
このような流路断面積の変化により、後述する蓄冷パック３１の溝部３１ａを流れる風量分布が均一化するので、蓄冷パック３１が保有する冷熱を最大限に利用することができる。
【００２４】
上述した蓄冷式冷房ユニット２０は、内部ケース３５の内壁面と蓄冷パック３１の前後両表面との間に各々形成された隙間３２が、ファン４０の作動により吸込口２１から吹出口２２に空気を導くための空気流路５０として機能する。
図１は、左右に二分割した蓄冷パック３０の内部構造例として右半分を模式的に示す断面図であり、内部ケース３５の内壁面と蓄冷パック３１との間に存在する隙間３２には空気流路５０が形成されている。この空気流路５０は、吹出口２１の中央部に沿って左右に分割した二つの蓄冷ユニット３０毎に、それぞれの内部に設置された蓄冷パック３１の表面に沿って吸込口２１から吹出口２２に至るジグザグ形状の流路とされる。
【００２５】
ジグザグ形状の空気流路５０は、各内部ケース３５内において、吸込口２１から吹出口２２まで流れ方向を交互に逆転させる流路仕切部材５１により形成される。
図示の例では、蓄冷パック３１の周囲が吸込開口３３及び吹出開口３４を残して内部ケース３５により囲まれ、さらに、空気流路５０となる隙間３２の下端部及び上端部には、吸込口２１及び吹出口２２に連通する吸込開口３３及び吹出開口３４となる部分を除いて仕切壁５２，５３が設けられている。これらの仕切壁５２，５３及び内部ケース３５の壁面で区画された矩形状の領域は、空気流路５０となる隙間３２が流路となる左右方向の連通部分５０ａ，５０ｂを残して、上下方向に設けた流路仕切部材５１により左右方向が三分割されているので、上下方向に流れ方向を変えるジグザグ形状の空気流路５０が形成される。このような空気流路５０は、扁平押出チューブ８ａを挟持する蓄冷パック３１の前後両面に形成される。
【００２６】
ところで、上述した実施形態の説明では、左右２系統の空気流路５０を左右方向に三分割したジグザグ形状としたが、蓄冷ユニット３０及び蓄冷パック３１の形状等に応じて、左右の系統数及び左右の分割数を適宜変更可能である。
また、上述した実施形態では、上下方向に設けた流路仕切部材５１により空気流路５０のジグザグ形状を形成したが、左右方向に設けた流路仕切部材により空気流路５０のジグザグ形状を形成してもよい。
【００２７】
上述した蓄冷パック３１は、一方の表面に溝部３１ａが形成されている。この溝部３１ａは、蓄冷パック３１の伝熱面積を増すので、空気の冷却能力向上に有効となる。また、たとえば図２に示すように、溝部３１ａを蛇行させて設ければ、蓄冷パック３１の伝熱面積を増すだけでなく、直線状に設けた溝部と比較して空気が通過して流れる流路長さも増加するので、蓄冷パック３１が保有する冷熱を利用した空気の冷却効率を向上させることができる。
【００２８】
上述した溝部３１ａは、挟持する扁平押出チューブ８ａの表面との間に、蓄冷ユニット３０内を上下方向に連通する空気流路を形成するが、以下ではこの空気流路を溝部空気流路５４と呼ぶ。この溝部空気通路５４は、吸入口２１から吸い込まれた空気の一部が吹出口２２に向けて流れる流路となる。すなわち、吸入口２１から吸い込まれた空気は、吸込開口３３から空気流路５０へ流れ込むものと、蓄冷パック３１の下端部とドレンパン３６との間に形成された間隙部から全ての溝部３１ａにより形成される溝部空気流路５４へ流れ込むものとに分流され、互いに異なる空気流路を通って冷却された後、ファン４０で合流して吹出口２２から流出する。
【００２９】
このように、吸込口２１を中心として左右に二分割された一方（図１は右半分）の蓄冷ユニット３０は、蓄冷パック３１の前後に形成されたジグザグ形状の空気流路５０と、蓄冷パック３１の溝部３１ａにより形成される溝部空気流路５４とを備えている。
そして、上述した空気流路５０及び溝部空気流路５４は、他方（左半分）の蓄冷ユニット３０にも左右対称として同様に設けられているので、吸込口２１から吸い込まれた空気は、左右の蓄冷ユニット３０に二分割された左右２系統の流路を備えている。
【００３０】
この結果、フロントパネル２３Ｆの下部中央に設けられている１つの吸入口２１から吸入したキャビン内の空気は、二つの蓄冷ユニット３０に向けて左右略均等に分流した後、各蓄冷ユニット３０内においては、空気流路５０と溝部空気流路５４とに分流される。
このとき、空気流路５０及び溝部空気流路５４の流路形状比は、溝部空気流路５４を流れる空気量が空気流路５０を流れる空気量より少なくなるように設定する。これは、平面より伝熱面積が大きいため熱交換効率のよい溝部空気流路５４を流れる空気量（風量）を小さくすることにより、溝部空気流路５４側の蓄冷パック３１内が空気流路５０側より先に放冷してしまうことを防止するものである。この結果、蓄冷パック３１が保有する冷熱をパック全体にわたって略均等に放冷させることができるので、蓄熱パック３１の交換熱量を最大限に利用することができる。
すなわち、蓄冷パック３１内の蓄冷材が均一に解けないと、先に解けて放冷能力のない空気流路を流れる空気温度が上昇するので、合流した後の最終的な吹出温度が高くなる。このため、蓄冷式冷房ユニット２０は、所望の温度に冷却された冷風を吹き出すことができなくなる。
【００３１】
ここで、流路形状比を最適化するための具体例を図１及び図７に基づいて説明するが、以下の説明では、溝部空気流路５４側の交換熱量をＱｃ、風量（空気量）をＷｃ、溝等価直径をＤｃとし、空気流路５０側の交換熱量をＱｕ、風量（空気量）をＷｕ、流路高さをＤｕとする。なお、溝等価直径Ｄｃは、溝高さをｈ、溝幅をｃとすれば、下記の数式で表される。
Ｄｃ＝４ｈｃ／{２（ｈ＋ｃ）}
【００３２】
図７（ｂ）は、横軸の風量比（Ｗｕ／Ｗｃ）と縦軸の交換熱量比（Ｑｕ／Ｑｃ）との関係を示すグラフである。そして、均一放冷はＷｕ／Ｗｃ＝１となるので、均一放冷の許容範囲を１±２０％以内と規定すれば、交換熱量比は０．８〜１．２となる。従って、この交換熱量比に対応する風量比を図７（ｂ）から読み取ると、Ｗｕ／Ｗｃ＝１．５〜２．７５となる。
続いて、風量比１．５〜２．７５に対応する流路形状比（Ｄｕ／Ｄｃ）を図７（ａ）から読み取ると、Ｄｕ／Ｄｃ＝１．０〜１．３となる。従って、たとえば溝部３１ａの溝高さｈを１０ｍｍ、溝幅ｃを５ｍｍとすれば溝部等価直径Ｄｃが６．７ｍｍとなり、この場合に許容される流路高さＤｕは、６．７（６．７×１．０）〜８．７（６．７×１．３）ｍｍとなる。
【００３３】
続いて、蓄冷式冷房ユニット２０の侵入熱防止対策を図８に基づいて説明する。
この侵入熱は、フロントパネル２３Ｆに取り付けられたファン４０と内部ケース３５との間に形成される隙間２５からファン４０に吸引された外部の空気(内部ケース３５の内側を通過していない空気あるいは、冷却されていない空気)が侵入し、せっかく冷却した冷風と混合されて吹出温度を上昇させるものである。
そこで、ファン４０のケーシング４１と内部ケース３５との接続部に、スポンジやウレタン等のシール部材を設けた導風板６０を取り付けて隙間２５を塞ぎ、隙間２５を通って空気流路５０に吸い込まれる外部空気の流通を防止する。
【００３４】
図８（ａ）に示す第１実施例では、フロントケース２３Ｆに固定されたファン４０のケーシング４１に導風板６０を予め取り付けておき、リアパネル２３Ｒの所定位置にフロントパネル２３Ｆを取り付けた状態にすると、外側から導風板６０のシール部材６１が内部ケース３５に押し付けられて接続部の隙間２５を塞ぐようになっている。
また、図８（ｂ）に示す第２実施例では、導風板６０を内部ケース３５側に予め取り付けておき、リアパネル２３Ｒの所定位置にフロントパネル２３Ｆを取り付けた状態にすると、導風板６０のシール部材６１がファン４０のケーシング４１に押し付けられて内側から接続部の隙間２５を塞ぐようになっている。
また、図８（ｃ）に示す第３実施例では、導風板６０をファン４０のケーシング４１及び内部ケース３５の両方に予め取り付けておき、リアパネル２３Ｒの所定位置にフロントパネル２３Ｆを取り付けた状態にすると、両方の導風板６０に取り付けたシール部材６１あるいは片方の導風板６０と他方の導風板６０に取り付けたシール部材６１とが密着して接続部の隙間２５を塞ぐようになっている。
【００３５】
このように、隙間２５から温度の高い空気を吸い込んで空気流路５０に流入することが防止されると、内部ケース３５の内部を通過して蓄冷パック３１に冷却された冷風が侵入熱により温度上昇することはなく、従って、冷風の吹出温度を維持して良好な冷房性能を得ることができる。
【００３６】
以上説明したように、本発明の蓄冷式冷房ユニット２０によれば、蓄冷用冷却コイル８及び蓄冷パック３１を収納する内部ケース３５を断熱性能の高い素材等で製作して熱強化すれば、冷風の吹出温度が上昇するのを防止し、かつ、蓄冷パック３１に蓄冷した冷熱が侵入熱により消費されるのを防止できるので、空調フィーリングや吹出温度等の空調性能を向上させるとともに、空調可能時間の延長が可能になる。
また、下部中央の吸入口２１から右上の吹出口２２に至るジグザグ形状の空気流路５０と、下部中央の吸入口２１から左上の吹出口に至るジグザグ形状の空気流路５０とが別々に形成されるので、吸入口２１から吸い込まれた空気は蓄冷パック３１の表面全体を略均一に通過して左右の吹出口２２から吹き出されるようになる。従って、蓄冷パック３１の全体から略均等に放冷させることができるようになり、蓄冷パック３１が保有する冷熱の全量を略均等に有効利用することで、冷却能力が高くしかも冷却時間の長い蓄熱冷房運転が可能となる。
【００３７】
また、蓄冷パック３１の表面に形成した溝部３１ａ、流路形状比の最適化、ドレンパン３６の傾斜設置及び導風板６０の取り付けによっても、空調性能の向上や空調可能時間の延長が可能になる。
なお、本発明は上述した実施形態に限定されるものではなく、本発明の要旨を逸脱しない範囲内において適宜変更することができる。
【図面の簡単な説明】
【００３８】
【図１】本発明に係る蓄冷式冷房ユニットの一実施形態を示す図で、（ａ）は蓄冷ユニットの構成例を模式的に示す断面図、（ｂ）は空気流路を示す模式図である。
【図２】蓄冷パックの形状例を示す正面図である。
【図３】本発明に係る蓄冷式冷房ユニットがキャビン内に設置された状態例を示す側面図である。
【図４】図３の正面図である。
【図５】図３の蓄冷式冷房ユニットからフロントパネルを取り外して蓄冷ユニットを露出させた状態を示す正面図である。
【図６】フロントケースを取り付けた状態を示す図５のＡ−Ａ断面図である。
【図７】流路形状比の最適化を説明するグラフであり、（ａ）は流路形状比と風量比との関係を示すグラフ、（ｂ）は交換熱量比と風量比との関係を示すグラフである。
【図８】接続部の隙間をシールする構成例を示す図で、（ａ）は第１実施例を示す断面図、（ｂ）は第２実施例を示す断面図、（ｃ）は第３実施例を示す断面図である。
【図９】車両用空調装置に適用される蓄冷装置付き空調装置の冷媒回路図である。
【符号の説明】
【００３９】
１    コンプレッサ
２    コンデンサ
４    空調用エバポレータ
５，９    膨張弁
７    空調電磁弁
８    蓄冷用冷却コイル
８ａ    扁平押出チューブ
１１    蓄冷電磁弁
１４    制御装置
２０    蓄冷式冷房ユニット
２１    吸込口
２２    吹出口
２３    ケーシング
２３Ｆ    フロントパネル
２３Ｒ    リアパネル
３０    蓄冷ユニット
３１    蓄冷パック
３１ａ    溝部
３２    隙間
３５    内部ケース
３６    ドレンパン
４０    ファン
５０    空気流路
５１    流路仕切部材
５４    溝部空気流路
６０    導風板
【図１】
0004718965.tif 000002
【図２】
0004718965.tif 000003
【図３】
0004718965.tif 000004
【図４】
0004718965.tif 000005
【図５】
0004718965.tif 000006
【図６】
0004718965.tif 000007
【図７】
0004718965.tif 000008
【図８】
0004718965.tif 000009
【図９】
0004718965.tif 000010